(57)【要約】【課題】映像通信経路を備えた映像通信システムに於いて、映像送信器側で複数の映像の切り替えを余儀なくされた場合、その映像が切り替えられた瞬間、異常な映像が一瞬見えたり、一部が破壊されていたりして映像が乱れてしまうという課題を解決し高品質な映像通信を可能とすることを目的とする。【解決手段】本発明の特徴は、映像送信機側には、フレーム先頭検知器、画像乱れ符号付加器を、映像受信機側には、映像乱れ符号検出器と映像メモリをと実装することにより映像乱れを発生させずに、映像の切り替えを可能とする。【選択図】図１
2006042245.tif 000002
【特許請求の範囲】
【請求項１】
映像送信機と映像受信機との間で映像通信する映像通信装置であって、
前記映像送信機は、映像信号を発生させる複数の映像情報発生手段と、前記複数の映像情報発生手段のうち一方を選択して映像情報を出力する第１の切替手段と、前記複数の映像情報発生手段それぞれの映像情報のフレームの先頭検知が可能なフレーム先頭検知手段と、前記第１の切替手段からの映像信号に映像乱れ符号を付加する符号付加手段とを備え、
前記映像受信機は、前記符号付加手段で付加された映像乱れ符号を検出する符号検出手段と、前記映像送信機からの映像信号を記憶する映像メモリと、前記符号検出手段の制御により前記映像送信機からの映像信号か前記映像メモリからの映像信号のいずれか一方を選択する第２の切替手段とを備えたことを特徴とする映像通信装置。
【請求項２】
映像送信装置と映像受信装置との間で映像通信する映像通信システムであって、
前記映像送信装置は、映像信号を発生させる複数の映像情報発生手段と、前記複数の映像情報発生手段のうち一方を選択して映像情報を出力する第１の切替手段と、前記複数の映像情報発生手段それぞれの映像情報のフレームの先頭検知が可能なフレーム先頭検知手段と、前記第１の切替手段からの映像信号に映像乱れ符号を付加する符号付加手段とを備え、
前記映像受信装置は、前記符号付加手段で付加された映像乱れ符号を検出する符号検出手段と、前記映像送信装置からの映像信号を記憶する映像メモリと、前記符号検出手段の制御により前記映像送信装置からの映像信号か前記映像メモリからの映像信号のいずれか一方を選択する第２の切替手段とを備えたことを特徴とする映像通信システム。
【請求項３】
符号付加手段は、第１の切替器の切替タイミングにおける映像信号フレームに同期した映像乱れ符号を付加する請求項１及び２記載の映像通信装置および映像通信システム。
【請求項４】
映像送信機と映像受信機との間で映像通信する映像通信方法であって、
前記映像送信機は、映像信号を発生させる複数の映像情報発生手段と、前記複数の映像情報発生手段のうち一方を選択して映像情報を出力する第１の切替手段と、前記複数の映像情報発生手段それぞれの映像情報のフレームの先頭検知が可能なフレーム先頭検知手段と、前記第１の切替手段からの映像信号に映像乱れ符号を付加する符号付加手段とを備え、
前記映像受信機は、前記符号付加手段で付加された映像乱れ符号を検出する符号検出手段と、前記映像送信機からの映像信号を記憶する映像メモリと、前記符号検出手段の制御により前記映像送信機からの映像信号か前記映像メモリからの映像信号のいずれか一方を選択する第２の切替手段とを備え、
前記符号付加手段は、前記複数の映像情報発生手段を切り換えるよう操作したタイミングにおける映像信号フレームの、次のフレームに同期したタイミングで映像乱れ符号を付加し、
前記符号検出手段では、映像乱れ符号が付加された映像信号フレームのタイミングで前記第２の切替手段を前記映像メモリ側へ切り替えて前記映像メモリからの映像信号を出力することを特徴とする映像通信方法。
【発明の詳細な説明】
【技術分野】
【０００１】
本発明は、何らかの通信経路を介しての、映像通信機と映像受信機間の通信に対して、通信映像切り替え時の画像処理に関するものである。
【背景技術】
【０００２】
近年、映像通信が頻繁に行われているが、映像通信中に映像源を切り替えることが、よく行われている。
【０００３】
以下に、従来の映像通信について説明する。
【０００４】
従来の映像通信装置の構成は図４のようになっており、１は映像送信機、２は映像受信機を示している。映像送信機１は、映像を送信するものであれば、ビデオカメラ等磁気記録再生装置やデジタルスチルカメラ等でも構わない。また、映像受信機２は、テレビジョン受像機や液晶テレビ等のように映像を表示できるもの、またはＶＴＲやデジタルビデオカメラやデジタルスチルカメラやパーソナルコンピュータなどに備えられた記録装置等のように映像を記録できるものであれば構わない。
【０００５】
３は第１の映像情報発生器、４は第２の映像情報発生器で、たとえば、ＣＣＤカメラ等映像信号を発生する装置、または、映像信号の再生装置などで構成される。映像送信機１を例えばビデオカメラとすると、第１の映像情報発生器３はレンズや撮像素子などからなる撮像手段に相当し、第２の映像情報発生器４は装填された記録媒体（例えばテープカセットやメモリカードなど）に記録された少なくとも映像信号を再生する再生手段に相当する。なお、これら第１の映像情報発生器３と第２の映像情報発生器４は他の組み合わせであっても構わない。
【０００６】
５は切替器で、複数の第１の映像情報発生器３と第２の映像情報発生器４から来た信号を、映像乱れ符号付加器８の指示のタイミングに従って切り替えて次段の映像乱れ符号付加器８に映像を渡す役目を備えている。
【０００７】
６は映像表示器または映像記録器であり、いずれか一方を想定しているが、両方備えていてもよい。映像表示器の例としては、テレビジョン受像機や液晶モニタであれば、ブラウン管や液晶表示デバイスをはじめとする映像表示に必要な構成を示している。映像受信器２がパーソナルコンピュータの場合は、モニタ画面に相当する。また映像記録器の例としては、テープ状媒体に映像信号を記録するヘッドやメカニズムや各種回路構成や、半導体メモリに映像信号を記録するための回路構成などに相当する。なお、記録する媒体やテープ状や半導体に限るものではなく、ディスクなどの他の記録媒体であっても構わない。
【０００８】
７は映像送信機１と映像受信機２との間の映像通信路で、例えば映像送信機１と映像受信機２とがＵＳＢ（ユニバーサル・シリアル・バス）による通信を行う場合は、ＵＳＢケーブルに相当する。映像通信路７は各種ケーブルなどによる有線接続でもよいし、無線接続であっても構わない。また、通信規格はＵＳＢに限らずＩＥＥＥ１３９４などのように他の通信規格に基づくもので構わない。
【０００９】
以上のように構成された従来の映像通信システムについて、以下その動作について説明する。
【００１０】
この従来の記録再生装置の動作は、切替器５で切り替えられた第１の映像情報発生器３、第２の映像情報発生器４からの映像がそのまま、映像表示器又は映像記録器６により表示及び記録されるものである。
【特許文献１】特開平１０−６６０２２号公報
【発明の開示】
【発明が解決しようとする課題】
【００１１】
しかしながら、上記のような従来構成では、図２に示すように、映像が切り替えられた瞬間の映像が、前の映像の一部のデータが残っているため異常な映像が一瞬見えたり、切り替えた新しい映像の一部が破壊されていたりして映像が乱れてしまうという課題があった。
【００１２】
また、映像の一部が破壊されて乱れてしまうことを解決するための先行文献として、特開平１０−６６０２２号公報があり、これにはデジタル記録再生装置側で映像が乱れているフレームを隠す装置ならびに方法が開示されている。しかし、この構成は、撮像手段で撮像した映像を記録媒体に記録するまでの間で信号処理している構成であり、モード切り替え時に映像が乱れることに対する対策にはなっていない。
【００１３】
本発明は上記の従来の問題点を解決するもので、映像送信機側には、フレーム先頭検知器、画像乱れ符号付加器を、映像受信機側には、映像乱れ符号検出器と映像メモリを実装することにより映像乱れを発生させずに、映像の切り替えを可能とすることを目的とする。
【課題を解決するための手段】
【００１４】
この目的を達成するために、映像送信機側には、フレーム先頭検知器、映像乱れ符号付加器を、映像受信機側には、映像乱れ符号検出器と映像メモリ器を備えたものである。
【００１５】
これによって、映像の乱れを発生させずに、映像の切り替えを可能とする。
【発明の効果】
【００１６】
以上のように本発明は、映像が切り替えられた瞬間、異常な映像が一瞬見えたり、一部が破壊されていたりして映像が乱れてしまうという課題を映像送信機側には、フレーム先頭検知器、画像乱れ符号付加器を、映像受信機側には、映像乱れ符号検出器と映像メモリ器を実装することにより解決し、映像の乱れを発生させずに、映像の切り替えを可能とした。これにより、映像品質の向上を図ることができる。
【発明を実施するための最良の形態】
【００１７】
本発明の請求項１に記載の発明は、映像送信機と映像受信機との間で映像通信する映像通信装置であって、前記映像送信機は、映像信号を発生させる複数の映像情報発生手段と、前記複数の映像情報発生手段のうち一方を選択して映像情報を出力する第１の切替手段と、前記複数の映像情報発生手段それぞれの映像情報のフレームの先頭検知が可能なフレーム先頭検知手段と、前記第１の切替手段からの映像信号に映像乱れ符号を付加する符号付加手段とを備え、前記映像受信機は、前記符号付加手段で付加された映像乱れ符号を検出する符号検出手段と、前記映像送信機からの映像信号を記憶する映像メモリと、前記符号検出手段の制御により前記映像送信機からの映像信号か前記映像メモリからの映像信号のいずれか一方を選択する第２の切替手段とを備えたものである。
【００１８】
請求項２に記載の発明は、映像送信装置と映像受信装置との間で映像通信する映像通信システムであって、前記映像送信装置は、映像信号を発生させる複数の映像情報発生手段と、前記複数の映像情報発生手段のうち一方を選択して映像情報を出力する第１の切替手段と、前記複数の映像情報発生手段それぞれの映像情報のフレームの先頭検知が可能なフレーム先頭検知手段と、前記第１の切替手段からの映像信号に映像乱れ符号を付加する符号付加手段とを備え、前記映像受信装置は、前記符号付加手段で付加された映像乱れ符号を検出する符号検出手段と、前記映像送信装置からの映像信号を記憶する映像メモリと、前記符号検出手段の制御により前記映像送信装置からの映像信号か前記映像メモリからの映像信号のいずれか一方を選択する第２の切替手段とを備えたものである。
【００１９】
請求項３に記載の発明は、符号付加手段は、第１の切替器の切替タイミングにおける映像信号フレームに同期した映像乱れ符号を付加するものである。
【００２０】
請求項４に記載の発明は、映像送信機と映像受信機との間で映像通信する映像通信方法であって、前記映像送信機は、映像信号を発生させる複数の映像情報発生手段と、前記複数の映像情報発生手段のうち一方を選択して映像情報を出力する第１の切替手段と、前記複数の映像情報発生手段それぞれの映像情報のフレームの先頭検知が可能なフレーム先頭検知手段と、前記第１の切替手段からの映像信号に映像乱れ符号を付加する符号付加手段とを備え、前記映像受信機は、前記符号付加手段で付加された映像乱れ符号を検出する符号検出手段と、前記映像送信機からの映像信号を記憶する映像メモリと、前記符号検出手段の制御により前記映像送信機からの映像信号か前記映像メモリからの映像信号のいずれか一方を選択する第２の切替手段とを備え、前記符号付加手段は、前記複数の映像情報発生手段を切り換えるよう操作したタイミングにおける映像信号フレームの、次のフレームに同期したタイミングで映像乱れ符号を付加し、前記符号検出手段では、映像乱れ符号が付加された映像信号フレームのタイミングで前記第２の切替手段を前記映像メモリ側へ切り替えて前記映像メモリからの映像信号を出力するものである。
【００２１】
以下、本発明の実施の形態について、図面を用いて説明する。
【００２２】
（実施の形態１）
図１は本発明の実施の形態１における記録再生装置の構成を示すブロック図である。
【００２３】
図１は映像通信システム全体を表すもので、１は映像送信機、２は映像受信機を示している。映像送信機１は、映像を送信するものであれば、ビデオカメラ等磁気記録再生装置やデジタルスチルカメラ等でも構わない。また、映像受信機２は、テレビジョン受像機や液晶テレビ等のように映像を表示できるもの、またはＶＴＲやデジタルビデオカメラやデジタルスチルカメラやパーソナルコンピュータなどに備えられた記録装置等のように映像を記録できるものであれば構わない。なお、本実施の形態では映像送信機１と映像受信機２のように一対一の組み合わせとしたが、少なくとも複数の機器の組み合わせであればよい。
【００２４】
７は映像送信機１と映像受信機２との間の映像通信路で、例えば映像送信機１と映像受信機２とがＵＳＢ（ユニバーサル・シリアル・バス）による通信を行う場合は、ＵＳＢケーブルに相当する。映像通信路７は各種ケーブルなどによる有線接続でもよいし、無線接続であっても構わない。また、通信規格はＵＳＢに限らずＩＥＥＥ１３９４などのように他の通信規格に基づくもので構わない。
【００２５】
３は第１の映像情報発生手段である第１の映像情報発生器、４は第２の映像情報発生手段である第２の映像情報発生器で、たとえば、ＣＣＤカメラ等映像信号を発生する装置、または、映像信号の再生装置などで構成される。映像送信機１を例えばビデオカメラとすると、第１の映像情報発生器３はレンズや撮像素子などからなる撮像手段に相当し、第２の映像情報発生器４は装填された記録媒体（例えばテープカセットやメモリカードなど）に記録された少なくとも映像信号を再生する再生手段に相当する。なお、これら第１の映像情報発生器３と第２の映像情報発生器４は他の組み合わせであっても構わない。また、本実施の形態では第１と第２の映像情報発生器のように２種類の映像信号発生器としたが、個数はこれに限定されるものではなく、少なくとも複数であればよい。
【００２６】
５は第１の切替手段である切替器で、複数の第１の映像情報発生器３と第２の映像情報発生器４から来た信号を、映像乱れ符号付加器８の指示のタイミングに従って切り替えて次段の映像乱れ符号付加器８に映像を渡す役目を備えている。
【００２７】
８は符号付加手段である映像乱れ符号付加器で、別途入力される切換命令に基づき、第１のフレーム先頭検知器９と第２のフレーム先頭検知器１０から出力されるフレーム先頭信号のタイミングによって切替器５より出力された映像信号に乱れ符号付加を行い、切替器５の切り替えタイミングを出力する機能を備える。なお、切換命令は、一般にビデオカメラなどに搭載された、撮影モードと再生モードとを切り換えるモード切換スイッチからの切換信号に相当する。映像乱れ符号は、図３（ｅ）に示し、切換命令は図３（ａ）に示した。
【００２８】
９は第１のフレーム先頭検出手段である第１のフレーム先頭検知器、１０は第２のフレーム先頭検出手段である第２のフレーム先頭検知器で、それぞれ第１の映像情報発生器３、第２の映像情報発生器４から来た映像信号の映像フレームの先頭を検知して、映像乱れ符号付加器８にタイミングを知らせる機能を備えている。第１のフレーム先頭検知器９からの出力信号は、図３（ｃ）に示し、第２のフレーム先頭検知器１０からの出力信号は、図３（ｄ）に示した。
【００２９】
１１は第２の切替手段である切替器で、映像送信機１と映像メモリ１２から来た信号を、映像乱れ符号検出器１３の指示のタイミングに従って切り替えて、次段の映像表示器又は映像記録器６に映像を渡す役目を備えている。
【００３０】
１２は映像メモリで、映像送信機１から送信されてくる１フレーム分の映像を記憶しておく能力を備えている。なお、本実施の形態では１フレーム分の映像を記録する構成としたが、フレーム数はこれに限定されるものではない。またフィールドメモリであっても構わない。
【００３１】
１３は映像送信機１から映像通信路７を介して受信した信号から映像乱れ符号を検出し、画像切り替えのタイミングを切替器１１に送る符号検出手段である映像乱れ符号検出器である。
【００３２】
６は映像表示器または映像記録器であり、いずれか一方を想定しているが、両方備えていてもよい。映像表示器の例としては、テレビジョン受像機や液晶モニタであれば、ブラウン管や液晶表示デバイスをはじめとする映像表示に必要な構成を示している。映像受信器２がパーソナルコンピュータの場合は、モニタ画面に相当する。また映像記録器の例としては、テープ状媒体に映像信号を記録するヘッドやメカニズムや各種回路構成や、半導体メモリに映像信号を記録するための回路構成などに相当する。なお、記録する媒体やテープ状や半導体に限るものではなく、ディスクなどの他の記録媒体であっても構わない。
【００３３】
以上のように構成された本実施の形態の映像通信装置について、以下その動作について説明する。
【００３４】
まず、通常動作についてビデオカメラを一例に説明する。
【００３５】
ビデオカメラの場合、まず本体電源を投入し装置のモードを選択する。このモードとは、装置本体に設けられたモード切換スイッチを使用者が操作して、撮像手段により被写体映像を撮像する「撮影モード」と、装置内部に装填された記録媒体（テープや半導体メモリやディスクなど）に記録された映像信号を再生する「再生モード」に相当する。なお、本実施の形態では、本体電源投入後にモード選択をするという説明をしているが、一般的にビデオカメラの場合は本体電源投入後は、自動的に撮影モードとなっているケースが多いので、この操作は省略しても構わない。
【００３６】
モード切換スイッチにおいて撮影モードが選択されている場合は、モード切換スイッチからの切換命令が映像乱れ符号付加器８に入力され、映像乱れ符号付加器８は切替器５をａ側へ切り換える。すると、第１の映像情報発生部３から出力される映像信号（本実施の形態では撮像手段にて撮像されている映像）が、切替器５及び映像乱れ符号付加器６を介して映像送信機１から出力される。なおこの時、映像信号には映像乱れ符号は付与されてない。映像送信機１から出力される映像信号は、映像送信機１と映像受信機２とを接続している映像通信路７を介して、映像受信機２に入力される。本実施の形態では、映像通信路７としてＵＳＢケーブルを用い、ＵＳＢで通信が可能なように映像送信機１にはＵＳＢ端子が装備されＵＳＢプロトコルに対応したドライバが備えられている。また、映像受信機２においても、ＵＳＢケーブルを接続可能なＵＳＢ端子が装備され、ＵＳＢプロトコルに対応したドライバが備えられている。
【００３７】
映像受信機２では、映像通信路７を介して入力される映像信号が、映像乱れ符号検出部１３と切替器１１と映像メモリ１２に入力される。映像乱れ符号検出器１３は入力される映像信号に映像乱れ符号が付与されていないかどうかを検出するが、現説明の通常動作時は映像乱れ符号は付与されていないので、映像乱れ符号検出器１３は切替器１１をａ側に接続する。すると、入力される映像信号は、切替器１１を介して映像表示部及び映像記録部６へ入力される。映像表示部及び映像記録部６では、入力される映像信号を、液晶モニタなどの表示デバイスに表示を行ったり、テープやディスクやメモリカードなどの記録媒体に映像信号を記録することができる。本説明では、映像受信機２をパーソナルコンピュータを例つぃて説明しているので、映像表示部はモニタ（ＣＲＴ）や液晶モニタに相当し、映像記録部はハードディスクや光ディスクやメモリカードに相当する。
【００３８】
また、映像送信機１は「再生モード」でも動作することができる。再生モードに以降するには、モード切り換えスイッチを操作することで、映像乱れ符号付加器８は切替器５を端子ｂ側に接続する。そして、再生手段を備えた第２の映像情報発生器４から出力される映像信号が、切替器５及び映像乱れ符号付加器８を介して映像送信機１から出力される。なおこの時、映像信号には映像乱れ符号は付与されてない。映像送信機１から出力される映像信号は、映像送信機１と映像受信機２とを接続している映像通信路７を介して、映像受信機２に入力される。本実施の形態では、映像通信路７としてＵＳＢケーブルを用い、ＵＳＢで通信が可能なように映像送信機１にはＵＳＢ端子が装備されＵＳＢプロトコルに対応したドライバが備えられている。また、映像受信機２においても、ＵＳＢケーブルを接続可能なＵＳＢ端子が装備され、ＵＳＢプロトコルに対応したドライバが備えられている。
【００３９】
映像受信機２では、映像通信路７を介して入力される映像信号が、映像乱れ符号検出部１３と切替器１１と映像メモリ１２に入力される。映像乱れ符号検出器１３は入力される映像信号に映像乱れ符号が付与されていないかどうかを検出するが、現説明の通常動作時は映像乱れ符号は付与されていないので、映像乱れ符号検出器１３は切替器１１をａ側に接続する。すると、入力される映像信号は、切替器１１を介して映像表示部及び映像記録部６へ入力される。映像表示部及び映像記録部６では、入力される映像信号を、液晶モニタなどの表示デバイスに表示を行ったり、テープやディスクやメモリカードなどの記録媒体に映像信号を記録することができる。本説明では、映像受信機２をパーソナルコンピュータを例つぃて説明しているので、映像表示部はモニタ（ＣＲＴ）や液晶モニタに相当し、映像記録部はハードディスクや光ディスクやメモリカードに相当する。
【００４０】
このようにして、映像送信機１の一例であるビデオカメラで撮影した映像信号や記録媒体から再生した映像信号を、ＵＳＢケーブルなどの映像通信路７を介して映像受信機２の一例であるパーソナルコンピュータで表示部に表示したり記録部にて記録媒体に記録したりすることができる。
【００４１】
次に、モード切り替え時の動作について図３も用いて説明する。
【００４２】
図３において、（ａ）はモード切り換えスイッチの動作タイミングを示すもの、（ｂ）は第１及び第２の映像情報発生器３及び４からの映像信号を示すものであり、Ａ１〜Ａｎ（ｎ＝整数）が第１の映像情報発生器３からの映像信号、Ｂ１〜Ｂｎ（ｎ＝整数）が第２の映像情報発生器４からの映像信号である。（ｃ）は第１のフレーム先頭検知器９の検出信号、（ｄ）は第２のフレーム先頭検知器１０の検出信号、（ｅ）は映像乱れ符号付加器８で付与される映像乱れ符号、（ｆ）は映像送信機１から出力される映像信号、（ｇ）は映像表示器または映像記録器６への入力信号である。
【００４３】
まず、第１の映像情報発生器３から映像信号が出力されている間は、第１のフレーム先頭検出器９から図３（ｃ）に示すような信号が出力されている。この信号は映像信号の各フレームの先頭に同期して出力される。そして、使用者がモード切り換えスイッチを操作すると、図３（ａ）に示すような信号が映像乱れ符号付加器８に入力される。
【００４４】
映像乱れ符号付加器８は切替器５に対して切り換え制御信号を出力するとともに、第１の映像情報発生器３から切替器５を介して入力される映像信号に、図３（ｅ）に示すような映像乱れ符号を付与するよう制御する。この映像乱れ符号は、図３（ａ）に示す切り換え信号を検出したタイミングでのフレーム（図３の例ではＡ２フレーム）の、次のフレームに同期して付与される。これは、モード切り換えスイッチが操作されてから、実際に装置内部で切替器５が切り替わるタイミング（Ｔ２）まで僅かな時間を要するためであり、このように制御することで、映像乱れ符号を、モード切り替え時の映像が乱れるタイミングに同期させることができる。
【００４５】
そして、第１のフレーム先頭検知器９が切替器５の切り替え前の最後のフレーム（Ａ２フレーム）を転送した後、フレーム先頭検知を行ったタイミング（Ｔ１）で映像通信経路に映像乱れ符号付加器８が映像乱れ符号を付加させる。
【００４６】
その後、タイミングＴ２で切替器５をｂ側に切り替えて、第２の映像情報発生器４の信号を映像乱れ符号を付けたままの状態で映像通信路７に出力を行う。そして、先頭検知器Ｂが次の第２の映像情報発生器から出力された信号のフレーム先頭を検知した時点で、映像乱れ符号の付加を終了する。その後は、映像乱れ符号の付加されていない第２の映像情報発生器から出力される正しい映像が映像通信路７を通り、映像受信機２に伝えられる。
【００４７】
次に、映像受信機２側では、映像乱れ符号が検出されていないデータは、切替器１１をａ側にして、そのままの映像信号を出力を行う。このとき、映像乱れが検出されていない正しい映像信号を映像メモリ１２に蓄えておき、新しいフレーム映像が来るたびに新しい映像データに更新を行っておく。
【００４８】
映像乱れ符号検出器１３において、映像乱れ信号が付加されている映像信号を検知すると、切替器１１をｂに切り替え、映像メモリ１２に蓄えていた正しい映像信号を映像表示器又は映像記録器６に出力する。つまり、映像乱れ符号が付与されているフレームのタイミングのみ、切替器１１をｂ側へ切り換え、映像メモリ１２から１フレーム分の映像信号を読み出して出力している。この動作は、図３（ｆ）に示すように、Ａ２フレームの次フレームのタイミングで、再度Ａ２フレームを出力するようにしている。そのことによって、映像表示器又は映像記録器６にフレーム映像の完結しないデータが入力される事が無く、常に正しい映像データが映像表示器又は映像記録器６に注がれる。
【００４９】
以上のように本実施の形態によれば、映像の乱れを発生させずに、映像の切り替えを行うことが出来、また、これにより映像品質の向上を図ることができる。
【００５０】
なお、本実施の形態では、ビデオカメラとパーソナルコンピュータとをＵＳＢケーブルで接続するという構成としたが、映像送信機や映像受信機として用いる機器はこれらに限定されるものではない。また、各送受信機間の接続はＵＳＢケーブルに限定されるものではない。
【産業上の利用可能性】
【００５１】
本発明は、少なくとも映像信号を送信可能な送信機と、送信機から送信されてくる少なくとも映像信号を受信可能な受信機とを接続し、送信機においてモード切り換えの際に発生する映像信号の乱れを、受信機側で表示させないように構成したものであり、送信機及び受信機として用いられる機器の応用範囲は様々である。
【図面の簡単な説明】
【００５２】
【図１】本発明の実施の形態１における映像送信機と映像受信機の構成を示すブロック図
【図２】同実施の形態と従来技術との動作を比較を行うためのタイミングチャート
【図３】同実施の形態の動作を説明するためのタイミングチャート
【図４】従来の記録再生装置の構成を示すブロック図
【符号の説明】
【００５３】
１    映像送信機
２    映像受信機
３    第１の映像情報発生器
４    第２の映像情報発生器
５    切替器
６    映像表示器又は映像記録器
７    映像通信路
８    映像乱れ符号付加器
９    第１のフレーム先頭検知器
１０    第２のフレーム先頭検知器
１１    切替器
１２    映像メモリ
１３    画像乱れ符号検出器
【図１】
2006042245.tif 000003
【図２】
2006042245.tif 000004
【図３】
2006042245.tif 000005
【図４】
2006042245.tif 000006